(57)【要約】【課題】光を照射した状態で印刷物を撮影する際に生じる色ムラを軽減する測色装置を提供する。【解決手段】測色装置１００は、測定対象物を設置する検査台３０と、光源４１から発せられる光を検査台３０に照射する照明装置４０と、検査台３０の上方に設けられて、測定対象物を撮影して画像データを取得する撮像装置５１とを備える。照明装置４０によって検査台３０に設置された白色板を照射した状態で撮像装置５１によって白色板を撮影した際に、白色板を撮影して取得された画像データの画像に含まれる中央部の領域におけるＬ*ａ*ｂ*表色系のＬ*値を白色板を用いて白色補正することで１００とした場合に、画像データの画像に含まれる周辺部の領域におけるＬ*値が、９５以上である。【選択図】図１
2019039741.tif 000002
【特許請求の範囲】
【請求項１】
測定対象物を設置する検査台と、
光源から発せられる光を前記検査台に照射する照明装置と、
前記検査台の上方に設けられて、前記測定対象物を撮影して画像データを取得する撮像装置とを備え、
前記照明装置によって前記検査台に設置された白色板を照射した状態で前記撮像装置によって前記白色板を撮影した際に、前記白色板を撮影して取得された画像データの画像に含まれる中央部の領域におけるＬ*ａ*ｂ*表色系のＬ*値を前記白色板を用いて白色補正することで１００とした場合に、前記画像に含まれる周辺部の領域におけるＬ*値が、９５以上である
ことを特徴とする、測色装置。
【請求項２】
前記測定対象物を撮影して取得された前記画像データの画像を、任意の色情報値に変換する変換部をさらに備える、
請求項１に記載の測色装置。
【請求項３】
前記照明装置は、前記検査台に対する照射角度が前記検査台の面方向に対して５度より大きく、６０度より小さい、
請求項１又は２に記載の測色装置。
【請求項４】
前記照明装置は、前記検査台に対する照射角度が前記検査台の面方向に対して１５〜３０度である、
請求項１〜３のいずれか１項に記載の測色装置。
【請求項５】
前記照明装置は、前記検査台を挟んで互いに対向する位置にそれぞれ設けられる、
請求項１〜４のいずれか１項に記載の測色装置。
【請求項６】
前記照明装置は、対向する２組の辺を持ち前記光源から光が出射される略矩形状の照射部を有し、
前記照射部の短辺の長さに対する長辺の長さの比が、２以下である、
請求項１〜５のいずれか１項に記載の測色装置。
【請求項７】
前記検査台は、対向する２組の辺を持ち前記撮像装置の撮影領域となる略矩形状の検査部を有し、
前記照明装置は、前記照射部の前記長辺が前記検査部の前記対向する２組の辺の一方の組の辺に沿うように設けられ、
前記照射部の前記短辺の長さに対する前記検査部の前記対向する２組の辺の他方の組の辺の長さの比が、３以下である、
請求項６に記載の測色装置。
【請求項８】
前記照明装置は、前記照射部に複数の板状部材が平行に配置されたルーバーを有し、
前記光源から発せられた光が、前記複数の板状部材の間を通過して前記検査台に照射される、
請求項６又は７に記載の測色装置。
【請求項９】
請求項１〜８のいずれか１項に記載の印刷物の測色装置において、
前記検査台に前記測定対象物を設置する設置工程と、
前記照明装置によって前記測定対象物を照射する照射工程と、
前記撮像装置によって前記測定対象物を撮影して画像データを取得する撮像工程と、
記測定対象物を撮影して取得された前記画像データの画像を、任意の色空間の色情報値に変換する変換工程とを備える
ことを特徴とする、測色方法。
【請求項１０】
測定対象物を設置する検査台に光源から発せられる光を照射する照明装置であって、
前記照明装置によって前記検査台に設置された白色板を照射した状態で前記測定対象物を撮影して画像データを取得する撮像装置によって前記白色板を撮影した際に、前記白色板を撮影して取得された画像データの画像に含まれる中央部の領域におけるＬ*ａ*ｂ*表色系のＬ*値を前記白色板を用いて白色補正することで１００とした場合に、前記画像に含まれる周辺部の領域におけるＬ*値が、９５以上である
ことを特徴とする、照明装置。
【請求項１１】
測定対象物を設置する検査台に前記測定対象物を設置する設置工程と、
光源から発せられる光を前記検査台に照射する照明装置によって前記測定対象物を照射する照射工程とを備え、
前記照明装置によって前記検査台に設置された白色板を照射した状態で前記測定対象物を撮影して画像データを取得する撮像装置によって前記白色板を撮影した際に、前記白色板を撮影して取得された画像データの画像に含まれる中央部の領域におけるＬ*ａ*ｂ*表色系のＬ*値を前記白色板を用いて白色補正することで１００とした場合に、前記画像に含まれる周辺部の領域におけるＬ*値が、９５以上である
ことを特徴とする、照射方法。
【発明の詳細な説明】
【技術分野】
【０００１】
本発明は、測定対象物を撮影して測色を行うための測色装置、及びこの測色装置を用いた測色方法に関するものである。また、本発明は、測定対象物を撮影する際に光を照射するための測色装置、及び照射方法に関するものである。
【背景技術】
【０００２】
カラー印刷物では、通常、シアン（Ｃ）、マゼンダ（Ｍ）、イエロー（Ｙ）、ブラック（Ｋ）の４色のインキを用いて、このＣＭＹＫの４色の混色によって様々な色を表現する手法が用いられている。ＣＭＹＫの４色を所定の割合で混色することで、各色の割合に応じた所望の色を表現することができる。各色の割合の調整方法は印刷方式によって様々であるが、例えば、オフセット印刷機では、各色に対応するインキキーの開度を調整して、インキの供給量を増減させることで行うことができる。印刷機で印刷した印刷物の絵柄と色見本の絵柄とを、目視で色調を比較（色評価）して、色調の相違が抑えられるように各色に対応する位置におけるインキキーの開度を調整することが従来行われていた。
【０００３】
従来の目視による色評価は官能評価であるため、比較を行う者の技量や経験等に依存し、個人差の影響を受けていた。そこで、印刷機で印刷した印刷物と色見本とについて、分光光度計を用いて色調を例えばＬ*ａ*ｂ*値や、ＣＭＹＫ値等により数値化して、この数値化された色調を基にした色評価が行われている。この場合、印刷物と色見本とにそれぞれ、カラーチャートの一種であるコントロールストリップを印刷しておき、このコントロールストリップの色調を数値化することが行われている。
【０００４】
上述した分光光度計を用いた色評価は、限られた範囲の色調をスポット的に測色するに留まっており、印刷された絵柄面を評価するものではなかった。また、複数箇所の色調の評価を行おうとした場合にはチェックに時間を要していた。そこで、絵柄面の一定の範囲の色調を測定する面測色によって、印刷物と色見本との比較をすることができる測色システムの開発が進められている。
【０００５】
特許文献１では、カメラによって印刷物及び色見本を撮影することで、これらの画像を含む画像データ入力し、各画像データそれぞれの特定領域内を画素郡単位で測色して、一定範囲の平均的な色差を算出する面測色を行っている。特許文献１に記載の技術によれば、印刷物を撮影して得られる画像データと色見本を撮影して得られる画像データとの面測色によって、印刷物の色を面で比較することができる。
【先行技術文献】
【特許文献】
【０００６】
【特許文献１】国際公開第２０１２／０７７７２９号
【発明の概要】
【発明が解決しようとする課題】
【０００７】
特許文献１のように面測色を行うためにカメラによって印刷物を撮影する場合には、通常、検査台に印刷物を設置して、照明装置によって光を検査台に照射した状態で撮影が行われる。菊全判や、ロール紙の幅が４４インチサイズの大判印刷物に対して測色を行う場合には、印刷物のサイズに合わせて検査台及び測色装置の大型化が必要となる。このとき、検査台が大きくなるにつれて検査台を照射するための照明装置の光量の増加が求められるが、印刷物及び測色装置の大型化に伴い、印刷物を撮影して得られる画像データの画像に色ムラが生じることが判明した。中でも、画像の周辺部付近に色ムラが生じやすい。色ムラの影響を受けると、印刷物の絵柄の本来の色調を評価することが困難となる。このように、印刷物及び測色装置の大型化に伴って生じる色ムラが課題となっていた。
【０００８】
本件は、上記のような課題に鑑みて創案されたものであり、光を照射した状態で印刷物を撮影する際に生じる色ムラを軽減する測色装置及び測色方法、並びに測色装置及び照射方法を提供することを目的の一つとする。
【課題を解決するための手段】
【０００９】
すなわち、ここでは、以下に示す種々の具体的態様を提供する。
［１］測定対象物を設置する検査台と、前記光源から発せられる光を前記検査台に照射する照明装置と、前記検査台の上方に設けられて、前記測定対象物を撮影して画像データを取得する撮像装置とを備え、前記照明装置によって前記検査台に設置された白色板を照射した状態で前記撮像装置によって前記白色板を撮影した際に、前記白色板を撮影して取得された画像データの画像に含まれる中央部の領域におけるＬ*ａ*ｂ*表色系のＬ*値を前記白色板を用いて白色補正することで１００とした場合に、前記画像に含まれる周辺部の領域におけるＬ*値が、９５以上であることを特徴とする、測色装置。
【００１０】
［２］前記測定対象物を撮影して取得された前記画像データの画像を、任意の色情報値に変換する変換部をさらに備える、［１］に記載の測色装置。
［３］前記照明装置は、前記検査台に対する照射角度が前記検査台の面方向に対して５度より大きく、６０度より小さい、［１］又は［２］に記載の測色装置。
［４］前記照明装置は、前記検査台に対する照射角度が前記検査台の面方向に対して１５〜３０度である、［１］〜［３］のいずれか１項に記載の測色装置。
［５］前記照明装置は、前記検査台を挟んで互いに対向する位置にそれぞれ設けられる、［１］〜［４］のいずれか１項に記載の測色装置。
【００１１】
［６］前記照明装置は、対向する２組の辺を持ち前記光源から光が出射される略矩形状の照射部を有し、前記照射部の短辺の長さに対する長辺の長さの比が、２以下である、［１］〜［５］のいずれか１項に記載の測色装置。
［７］前記検査台は、対向する２組の辺を持ち前記撮像装置の撮影領域となる略矩形状の検査部を有し、前記照明装置は、前記照射部の前記長辺が前記検査部の前記対向する２組の辺の一方の組の辺に沿うように設けられ、前記照射部の前記短辺の長さに対する前記検査部の前記対向する２組の辺の他方の組の辺の長さの比が、３以下である、［６］に記載の測色装置。
［８］前記照明装置は、前記照射部に複数の板状部材が平行に配置されたルーバーを有し、前記光源から発せられた光が、前記複数の板状部材の間を通過して前記検査台に照射される、［６］又は［７］に記載の測色装置。
【００１２】
［９］［１］〜［８］のいずれか１項に記載の印刷物の測色装置において、前記検査台に前記測定対象物を設置する設置工程と、前記照明装置によって前記測定対象物を照射する照射工程と、前記撮像装置によって前記測定対象物を撮影して画像データを取得する撮像工程と、記測定対象物を撮影して取得された前記画像データの画像を、任意の色空間の色情報値に変換する変換工程とを備えることを特徴とする、測色方法。
【００１３】
［１０］測定対象物を設置する検査台に光源から発せられる光を照射する照明装置であって、前記照明装置によって前記検査台に設置された白色板を照射した状態で前記測定対象物を撮影して画像データを取得する撮像装置によって前記白色板を撮影した際に、前記白色板を撮影して取得された画像データの画像に含まれる中央部の領域におけるＬ*ａ*ｂ*表色系のＬ*値を前記白色板を用いて白色補正することで１００とした場合に、前記画像に含まれる周辺部の領域におけるＬ*値が、９５以上であることを特徴とする、照明装置。
【００１４】
［１１］測定対象物を設置する検査台に前記測定対象物を設置する設置工程と、光源から発せられる光を前記検査台に照射する照明装置によって前記測定対象物を照射する照射工程とを備え、前記照明装置によって前記検査台に設置された白色板を照射した状態で前記測定対象物を撮影して画像データを取得する撮像装置によって前記白色板を撮影した際に、前記白色板を撮影して取得された画像データの画像に含まれる中央部の領域におけるＬ*ａ*ｂ*表色系のＬ*値を前記白色板を用いて白色補正することで１００とした場合に、前記画像に含まれる周辺部の領域におけるＬ*値が、９５以上であることを特徴とする、照射方法。
【発明の効果】
【００１５】
本件によれば、光を照射して印刷物を撮影する際に生じる色ムラを軽減することができる。
【図面の簡単な説明】
【００１６】
【図１】実施形態に係る測色装置を模式的に示す斜視図である。
【図２】実施形態に係る測色装置のハードウェア構成の例を示すブロック図である。
【図３】実施形態に係る測色装置の機能構成の例を示すブロック図である。
【図４】実施形態に係る照明装置の配置を模式的に示す側面図である。
【図５】実施形態に係る測色装置を用いた校正処理の手順を示すフローチャートである。
【図６】実施形態に係る測色装置を用いた測色処理の手順を示すフローチャートである。
【図７】実施例において色情報値を得た位置を模式的に示す平面図である。
【発明を実施するための形態】
【００１７】
本件を実施するための形態を説明する。下記の実施形態はあくまでも例示に過ぎず、実施形態で明示しない種々の変形や技術の適用を排除する意図はない。この実施形態の各構成は、その趣旨を逸脱しない範囲で種々変形して実施することができる。また、必要に応じて取捨選択することができ、適宜組み合わせることもできる。
【００１８】
本実施形態では、検査台の平面に対して照明装置が設けられる方向を横方向とする。また、検査台の平面に対して上記の横方向と直交する方向を縦方向とする。また、重力の作用方向を下方とし、その反対方向を上方とする。本明細書において、「〜」を用いてその前後に数値又は物性値を挟んで表現する場合、その前後の数値又は物性値を含むものとして用いることとする。例えば「１〜１００」との数値範囲の表記は、その下限値「１」及び上限値「１００」の双方を包含するものであり、「１以上１００以下」を表す。他の数値範囲の表記も同様である。
【００１９】
［Ｉ．測色装置、照明装置］
本実施形態に係る測色装置は、測定対象物を撮影して測色を行う。測定対象物としては、例えば、印刷物、及びこの印刷物の色見本が挙げられる。また、測定対象物としては、モノクロ、グレースケール、及びカラーいずれの印刷物及び印刷見本も用いることができる。印刷物及び印刷見本の材質は特に限定されず、例えば、紙、合成紙、樹脂フィルム、布、不織布や、これらにアルミ等の金属箔を蒸着又は貼り合せを行ったメタル紙及びメタルフィルム等を用いることができる。印刷物及び印刷見本の印刷方式も特に限定されず、例えば、有版方式、ドットインパクト方式、電子写真方式、インクジェット方式、静電写真方式、熱転写方式、感熱方式等を用いることができる。有版方式としては、例えば、オフセット印刷、グラビア印刷、スクリーン印刷、フレキソ印刷等が挙げられる。また、測色装置は、白色補正をするための白色板の撮影も行う。
【００２０】
印刷物、色見本、及び白色板の寸法及び形状は特に限定されず、任意の寸法又は形状のものも用いることができるが、例えば、ＪＩＳ  Ｐ  ０１３８に規定されるＡ列（Ａ０〜Ａ１０）、Ｂ列（Ｂ０〜Ｂ１０）；Ｂ０ノビ（１１１８ｍｍ×１５８０ｍｍ）；菊半サイズ（菊全判、菊半裁、菊４切、菊８切、菊１６切）；四六判（四六全判、四六半裁、四六４切、四六８切、四六１６切）；ＩＳＯ  ２１６に規定されるＡシリーズ（Ａ０〜Ａ１０）、Ｂシリーズ（Ｂ０〜Ｂ１０）；ＩＳＯ２６９に規定されるＣシリーズ（Ｃ０〜Ｃ１０）；ＩＳＯ  ２１７に規定されるＲＡシリーズ（ＲＡ〜ＲＡ４）、ＳＲＡシリーズ（ＳＲＡ０〜ＳＲＡ４）；等に対応することができる。印刷物、色見本、及び白色板は、通常、上記寸法範囲内の物が用いられる。また、白色板としては、直径が数ｃｍ〜数十ｃｍ程度のサイズの円形や、１辺が数ｃｍ〜数十ｃｍ程度のサイズの四角形の形状を有する、市販の白色板を用いることができる。
【００２１】
［１．構成］
本実施形態に係る測定装置の構成について、図１〜４を参照して説明する。
［１−１．ハードウェア構成］
図１に示すように、測色装置１００は、検査台３０、照明装置４０、及び撮像装置５１を少なくとも備えている。測定対象物を検査台３０に設置して、照明装置４０によって検査台３０に設置された白色板を照射した状態で、撮像装置５１によって白色板を撮影することができる。その際に、測色装置１００では、白色板を撮影して取得された画像データの画像に含まれる中央部の領域におけるＬ*ａ*ｂ*表色系のＬ*値を、その白色板を用いて白色補正することで１００とした場合に、画像データの画像に含まれる周辺部の領域におけるＬ*値が９５以上である。
【００２２】
図２に示すように、測色装置１００は、撮像装置５１と接続される処理装置６１、並びに、処理装置６１と接続される表示装置５２、及びキーボード、マウス等の入力装置（図示略）をさらに備えている。処理装置６１は、例えば、撮像装置５１で得られた画像データを処理するためのコンピュータによって構成されている。処理装置６１は、ＣＰＵ（Central Processing Unit；中央処理装置）７０、メモリ８０、及び入出力インターフェース（図示略）を備え、これらがデータを転送するための経路であるバス（図示略）によって接続されている。処理装置６１は、入出力インターフェースを介して、撮像装置５１、表示装置５２、及び入力装置と接続されている。
【００２３】
なお、本実施形態において、コンピュータとは、ハードウェアとオペレーティングシステムとを含む概念であり、オペレーティングシステムの制御の下で動作するハードウェアを意味している。また、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とを備えている。
以下、各部の構成を説明する。
【００２４】
＜検査台＞
図１に示すように、測色装置１００は、底面板１１と、底面板１１の端部から垂直方向に延在して、底面板１１の対向する横方向の二辺に設けられる一対の側面板１２ａ，１２ｂと、底面板１１の端部から垂直方向に延在して、一対の側面板１２ａ，１２ｂの間に設けられる背面板１３とを備えている。この底面板１１の中央部が、測定対象物を設置する検査台３０となる。測色装置１００は、側面板１２ａ，１２ｂ、及び背面板１３の上部に、上面板１４をさらに備えている。また、側面板１２ａ，１２ｂのそれぞれの端部の間であって、背面板１３と対向する位置に、遮光カーテン（図示略）をさらに備えている。底面板１１、側面板１２ａ，１２ｂ、背面板１３、上面板１４、及び遮光カーテンは、検査台３０の周囲を覆うことで、外部からの不要な光の入射を防いでいる。また、底面板１１、側面板１２ａ，１２ｂ、背面板１３、上面板１４、及び遮光カーテンは、検査台３０が位置するそれぞれの内面部側が黒色をしており、光の反射を防いでいる。遮光カーテンは、開閉可能に設けられており、開いた状態で検査台３０への測定対象物の設置を行い、閉じた状態で測定対象物の撮影を行うことができるようになっている。
【００２５】
検査台３０は、測定対象物を設置する部位である。測定対象物としては、上述した寸法範囲内の印刷物及び色見本が用いられることから、通常、検査台３０のサイズ及び形状は、測定対象物の寸法よりも大きく、対向する２組の辺を持つ矩形状に形成される。図１では、撮像装置５１による撮影範囲となる検査部３１を二点鎖線で囲うことで示している。この検査部３１内に測定対象物が納まるように、検査台３０は検査部３１よりも大きい矩形状の形状を有している。なお、検査部３１の大きさは、撮像装置５１の取り付け高さ、及び撮像装置５１の撮影倍率を調整することで、変更することができる。
【００２６】
検査部３１の外周の３辺の位置にあわせて、底面板１１上に位置あわせ板３２ａ〜３２ｃが設けられている。位置あわせ板３２ａ〜３２ｃは、それぞれその一辺が検査部３１の外周の３辺と略一致するように設けられている。言い換えれば、位置あわせ板３２ａ〜３２ｃは、撮像装置５１による撮影範囲の下側と左右それぞれとの限界の位置に設けられている。これにより、位置あわせ板３２ａ〜３２ｃの一つ又は二つに対して、測定対象物の１辺または２辺を接するようにして検査台３０に設置することで、測定対象物を検査部３１内に収める位置に設置することができる。
【００２７】
後述する照明装置４０は、照射部４３の長辺が検査部３１の対向する２組の辺の一方の組の辺に沿うような位置関係で設けられている。そこで、検査部３１の対向する２組の辺のうち、照明装置４０に挟まれて照射部４３の長辺と沿う、一方の組である縦方向の辺について、この長さをＬ22で表す。また、検査部３１の他方の組である横方向の辺について、この長さをＬ21で表す。本実施形態では、検査台３０及び検査部３１の横方向の辺の長さＬ21よりも縦方向の辺の長さＬ22の方が短く、照明装置４０が、検査部３１の縦方向の短辺の組の両側に設けられている場合を例に挙げて説明する。なお、照明装置４０は、検査部３１の短辺と長辺いずれの組の辺に沿うように設けられていてもよい。測定対象物の取り扱い性及び撮影の作業性が向上する観点からは、照明装置４０が検査部３１の短辺の組の両側に設けられることが好ましい。または、照明装置４０から検査台３０に照射される光の均一をより高める観点からは、照明装置４０を検査部３１長辺の組の両側に設けられることが好ましい。
【００２８】
一方の側面板１２ａには、その左右端部の垂直方向に、支柱２２ａ，２２ｂが設けられている。支柱２２ａ，２２ｂには、取り付け板２４ａが、支柱２２ａ，２２ｂに対して上下方向に摺動可能、且つ任意の位置で固定可能に取り付けられている。そして、取り付け板２４ａには、固定板４５ａを介して、照明装置４０ａの筐体４２ａが固定されている。
同様に、他方の側面板１２ｂには、支柱２２ｃ，２２ｄが設けられるとともに、支柱２２ｃ，２２ｄに取り付け板２４ｂが取り付けられている。そして、取り付け板２４ｂには、固定板４５ｂを介して、照明装置４０ｂの筐体４２ｂが固定されている。
以降、照明装置４０ａ，４０ｂ、及び筐体４２ａ，４２ｂ、並びに固定板４５ａ，４５ｂの各部の構成について、特に区別しない場合には、照明装置４０、筐体４２、及び固定板４５等のように符号を付して称する。
【００２９】
背面板１３には、その中央部の垂直方向に支柱２１が設けられている。支柱２１には、取付板２３が、支柱２１に対して上下方向に摺動可能、且つ任意の位置で固定可能に取り付けられている。そして、取付板２３には、表示装置５２が固定されている。
【００３０】
上面板１４には、撮像装置５１が取り付けられている。撮像装置５１は、検査台３０及び検査部３１との位置調整、並びにレンズの調整を行った後は、通常、上面板１４に固定された状態で取り付けられる。撮像装置５１は、上面部１４の下側にレンズ及びレンズフードが位置して、レンズの鏡筒が上面部１４を貫通するとともに、撮像素子を格納する本体が上面板１４の上側に取り付けられている。
【００３１】
＜照明装置＞
照明装置４０は、光源４１から発せられる光を検査台３０に照射する。照明装置４０は、一面が開口した直方体形状の筐体４２を有している。筐体４２は、その内部に、光源４１を有している。照明装置４０は、筐体４２の開口に、光源４１から光が出射される照射部４３を有している。照射部４３は、対向する２組の辺を持つ略矩形状の形状を有している。照明装置４０ａ，４０ｂは、検査台３０及び検査部３１を挟んで互いに対向する位置にそれぞれ設けられる。また、照明装置４０は、照射部４３の長辺が検査部３１の対向する２組の辺の一方の組の辺に沿うように設けられている。本実施形態では、照明装置４０は、照射部４３の長辺が検査部３１の縦方向の短辺の両側にそれぞれに沿うように設けられている。照射部４３は、短辺の長さをＬ11で表し、長辺の長さをＬ12で表す。
【００３２】
照明装置４０に用いられる光源４１としては、例えば、蛍光灯、水銀灯、白熱電球、ＬＥＤ（Light Emitting Diode：発光ダイオード）等が挙げられる。これらの中でも、均一性が高く且つ大面積の配光を実現する観点から、蛍光灯が好ましい。中でも、光源４１は、印刷物及び色見本の色を正しく評価するためには無彩色であることが好ましく、例えば印刷の色見台等に用いられる、高演色且つ色温度が約５０００Ｋの昼白色蛍光灯が望ましい。光源４１の演色性は、ＪＩＳ  Ｚ  ８７２６:１９９０に規定される平均演色評価数（Ｒａ）で表すことができる。光源４１のＲａは、好ましくは９０以上、より好ましくは９５以上、さらに好ましくは９９以上である。蛍光灯の径方向の配光の均一性を高める観点から、複数本の蛍光灯を平行配置して用いることが好ましい。本実施形態では、光源４１として、５本の蛍光灯を平行配置して用いている。また、筐体４２の内部には、照射部４３から見て光源４１の奥側に反射板（図示略）が設けられている。光源４１から照射部４３とは反対方向に出射された光は、反射板によって反射して、照射部４３から出射される。
【００３３】
照明装置４０は、照射部４３に複数の板状部材（羽板）が平行に配置されたルーバー４４を有している。ルーバー４４によって、光源４１から発せられた光が、複数の板状部材の間を通過して検査台３０に照射される。ルーバー４４としては、例えば、板状部材が平行に配置されたものや、平行に配置された板状部材を交差させるように組み合わせられることで格子状に配置されたものを用いることができる。照明装置４０がルーバー４４を有することで、照射部４３から照射される光に直進性を持たせることができる。
【００３４】
照射部４３の短辺の長さＬ11に対する長辺の長さＬ12の比は、好ましくは２以下、より好ましくは１．５以下であり、下限は特に限定されないが、通常１より大きい。照射部４３の短辺の長さＬ11に対する長辺の長さＬ12の比が上記上限を上回ると、照射部４３が細長い矩形状の形状を有することで、特性が線光源に近づくことになる。したがって、短辺方向に発せられる光量が不足して、照射部４３から検査台３０に向けた方向の光量の均一性が低下して、色ムラが発生しやすくなる傾向にある。一方、照射部４３の短辺の長さＬ11に対する長辺の長さＬ12の比が上記範囲内にあると、長辺の長さＬ12に対して短辺の長さＬ11が比較的に長くなり、照射部４３がより正方形に近い形状を有することで、特性が面光源に近づくことになる。したがって、短辺方向に発せられる光量が増加して、照射部４３から検査台３０に向けた方向の光量の均一性が向上して、色ムラが抑制される傾向にある。
【００３５】
照射部４３の短辺の長さＬ11に対する検査部３１の対向する２組のうち照射部４３の長辺と沿う一方の組の辺とは他方の組の辺の長さ、言い換えれば、検査部３１の長辺の長さＬ21の比は、好ましくは３以下、より好ましくは２．５以下であり、下限は特に限定されないが、通常１より大きい。照射部４３の長さＬ11に対する検査部３１の長さＬ21の比が上記上限を上回ると、照射部４３の検査部３１に対する照射方向と同じ向きとなる、照射部４３の長さＬ11に対して、検査部３１の他方の長さＬ21が比較的に長くなる。したがって、照射部４３から検査部３１の照射方向に対して、照射部４３からの照射光によって検査部３１の全体をカバーすることが困難になり、照射部４３から検査台３０に向けた方向の光量の均一性が低下して、色ムラが発生しやすくなる傾向にある。一方、照射部４３の長さＬ11に対する検査部３１の長さＬ21の比が上記範囲内にあると、照射部４３の長さＬ11に対して、検査部３１の長さＬ21が比較的に短くなる。したがって、照射部４３からの照射光によって検査部３１の全体をカバーしやすくなり、照射部４３から検査台３０に向けた方向の光量の均一性が向上して、色ムラが抑制される傾向にある。
【００３６】
照明装置４０の配置について説明する。図４に示すように、照明装置４０は、その側面の中心位置４６を中心にして、底面板１１及び検査台３０に対する照射角度αを変更できるよう回転可能、且つ任意の角度で固定可能に、固定板４５に取り付けられている。照明装置４０の検査台３０に対する照射角度αとは、照明装置４０から光の照射方向と、検査台３０の平面とのなす角度をいう。照明装置４０からの光の照射方向とは、照明装置４０から出射される光の強さの分布を表す配向特性において、光が最も強くなる方向をいう。本実施形態のように、照射部４３にルーバー４４が設けられて直進性が高められた光が発せられる場合には、照射部４３から垂直な方向が照明装置４０の照射方向となる。
【００３７】
照明装置４０は、検査台３０に対する照射角度αが、通常５度より大きく、好ましくは１０度以上、より好ましくは１５度以上、さらに好ましくは２０度以上であり、通常６０度より小さく、好ましくは４５度以下、より好ましくは４０度以下、さらに好ましくは３５以下、特に好ましくは３０度以下、最も好ましくは２８度以下である。照射角度αが、上記下限を上回ることで、測定対象物のわずかなたわみや凹凸といった表面の形状に起因して、照明装置４０によって測定対象物上に明暗が生じたり、影が生じたりすることを防ぎやすい傾向にある。また、照明装置４０の検査台３０に対する照射角度αが、上記上限を下回ることで、照明装置４０から照射された光の正反射成分が撮像装置５１によって検出されることで生じる、照明の映り込みを防ぎやすい傾向にある。
【００３８】
照明装置４０の配置は、照明装置４０の検査台３０からの高さＬ31によっても表すことができる。また、照明装置４０の検査台３０の中心位置３３からの距離Ｌ41によって表すことができる。照明装置４０の検査台３０からの高さＬ31とは、照明装置４０の中心位置４６から検査台３０までの鉛直方向の長さをいう。また、照明装置４０の検査台３０の中心位置３３からの距離Ｌ41とは、照明装置４０の中心位置４６と検査台３０の中心位置３３との間の水平方向の長さをいう。
【００３９】
照明装置４０の検査台３０からの高さＬ31は、照明装置４０の検査台３０に対する照射角度α、及び検査部３１の大きさに応じて、検査部３１に均一に光が照射される位置に照明装置４０が配置されるように適宜変更することができる。このため、照明装置４０の検査台３０からの高さＬ31は、特に限定されないが、例えば、照射角度αが約２０度であって、検査部３１の対向する一組の辺の長さＬ21が１０７５ｍｍ、もう一組の対向する辺の長さＬ22が９００ｍｍの場合には、通常２５０以上であり、通常７５０ｍｍ以下である。
【００４０】
また、照明装置４０の検査台３０の中心位置３３からの距離Ｌ41は、照明装置４０の検査台３０に対する照射角度α、検査部３１の大きさ、及び照明装置４０の検査台３０からの高さＬ31に応じて、検査部３１に均一に光が照射される位置に照明装置４０が配置されるように適宜変更することができる。このため、照明装置４０の検査台３０の中心位置３３からの距離Ｌ41は、特に限定されないが、例えば、照射角度αが約２０度であって、検査部３１の対向する一組の辺の長さＬ21が１０７５ｍｍ、もう一組の対向する辺の長さＬ22が９００ｍｍの場合には、通常６００ｍｍ以上であり、通常１６００ｍｍ以下である。
【００４１】
＜撮像装置＞
撮像装置５１は、検査台３０の上方に設けられて、検査台３０に設置された測定対象物を撮影して画像データを取得する。撮像装置５１は、取得した画像データを処理装置６１に出力する。撮像装置５１は、例えば、撮像素子としてＣＣＤ（Charge-Coupled Device）又はＣＭＯＳ（Complementary Metal-oxide Semiconductor）を用いたイメージセンサを有するビデオカメラである。撮像装置５１は、画像データの画像解析により測色を行うため、複数色の画像信号を含むカラー画像を撮像する。
【００４２】
＜表示装置＞
表示装置５２としては、例えば、ＣＲＴ（Cathode Ray Tube）、ＬＣＤ（Liquid Crystal Display）、有機ＥＬディスプレイ（Organic Light-Emitting Diode Display）等のディスプレイが用いられる。
【００４３】
＜ＣＰＵ＞
ＣＰＵ７０は、種々の制御や演算を行なう処理装置であり、メモリ８０に格納された後述する本件のプログラムを読み出して実行することにより、種々の機能を実現する。そして、ＣＰＵ７０が、これらのプログラムを実行することにより、図３で示すように、処理部１７０の各機能手段としてそれぞれ機能する。なお、処理部１７０における処理機能の実現手段はプログラムに限定されず、処理装置６１に搭載されるハードウェアにより実現されてもよい。例えば、処理部１７０を、ＲＯＭ，ＲＡＭ，ＣＰＵ等を内蔵したワンチップマイコンとして構成してもよいし、あるいは、デジタル回路やアナログ回路といった電子回路として形成してもよい。
【００４４】
＜メモリ＞
メモリ８０は、種々のデータやプログラムを格納するデータ記憶装置である。メモリ８０は、例えば、ＲＡＭ（Random Access Memory）等の揮発性メモリや、ＲＯＭ、フラッシュメモリ等の不揮発性メモリ、またはＨＤＤ（Hard Disk Drive）、ＳＳＤ（Solid State Device）等によって実現される。
【００４５】
［１−２．機能構成］
図３に示すように、測色装置１００を機能的に表すと、撮像部１５１、表示部１５２、及び処理装置６１を備えて構成される。処理装置６１は、処理部１７０、及び記憶部１８０を備える。
以下、各部の構成を説明する。
【００４６】
＜撮像部＞
撮像部１５１は、撮像装置５１である。撮像部１５１は、イメージセンサから出力される各種の信号値を有する画像信号を含む画像データを生成することができる。撮像部１５１で生成された画像データは、処理装置６１に出力される。
【００４７】
本実施形態では、Ｒ（赤）、Ｇ（緑）、Ｂ（青）の各色の画像信号を出力する場合を例に挙げて説明する。この場合、撮像装置５１は、Ｒ、Ｇ、Ｂの各色成分に対応して配列される多数の受光素子を有する。また、撮像装置５１は、Ｒ、Ｇ、Ｂの各色を通過又は反射することで分光する、カラーフィルタ、又はダイクロイックミラー等の分光要素を有する。そして、分光要素で分光した各色の光を、各色成分に対応した受光素子でそれぞれ検出することができる。これらの受光素子で受光した光は、その光量に応じた電気信号に変換され、Ｒ、Ｇ、Ｂの各色の信号値を有するアナログ画像信号として検出される。さらに、これらのアナログ画像信号は、Ｒ、Ｇ、Ｂの各色の信号値を有するデジタル画像データにＡ／Ｄ変換されて、処理装置６１に出力される。
【００４８】
上記説明では、撮像部１５１（撮像装置５１）が、Ｒ、Ｇ、Ｂの各色の信号値を有する画像信号を出力する場合を例に挙げて説明した。撮像部１５１が出力する画像信号はこれに限られず、所望の表色系で表される画像信号を出力するものであってよい。例えば、ＸＹＺ表色系のＸ、Ｙ、Ｚの各信号値を有する画像信号を出力する撮像装置を用いることができる。具体的には、ＣＩＥ  ＸＹＺ等色関数と等価に線形変換された三つの分光感度（Ｓ1（λ），Ｓ2（λ），Ｓ3（λ））を有する撮像装置を利用して、撮像装置により取得した三つの分光感度をＣＩＥ  ＸＹＺ表色系における三刺激値Ｘ，Ｙ，Ｚに変換して出力することができる。このような撮像装置としては、例えば、特開２０１４−１８７５５８号公報に記載されているものを用いることができる。
【００４９】
＜表示部＞
表示部１５２は、表示装置５２である。表示部１５２は、処理装置６１で信号処理された情報、及び記憶部１８０に格納される情報等を表示することができる。表示部１５２は、撮像部１５１から出力される画像データを受信して、この画像データの画像を表示することができる。また、表示部１５２は、変換部１７２から出力される色情報値データを受信して、色情報値を表示することができる。また、表示部１５２は、比較部１７４での比較処理の結果を受信して、色情報値が一致するかどうかの判定、又は色情報値の差若しくは比率を表示することができる。
【００５０】
＜記憶部＞
記憶部１８０は、メモリ８０を用いてデータを格納している。本実施形態における記憶部１８０は、撮像部１５１から出力される画像データ、補正部１７１で補正を施された画像データ、変換部１７２での変換処理により得られた色情報値データ、比較部１７４での比較処理による比較結果、及び後述するホワイトバランスを調整するためのゲイン等を格納する。また、記憶部１８０は、ＣＰＵ７０に実行させることで、後述する補正部１７１、変換部１７２、分割部１７３、及び比較部１７４としてそれぞれ機能させるプログラムを予め保存する。これらのプログラムをあわせて、本件のプログラム（測色プログラム）と称する。
【００５１】
＜処理部＞
処理部１７０は、ＣＰＵ７０で演算処理される機能部位であり、各機能は個別のプログラムとして構成されている。処理部１７０は、図３で示すように、補正部１７１、変換部１７２、分割部１７３、及び比較部１７４としてそれぞれ機能する。
【００５２】
本件のプログラムは、例えばフレキシブルディスク、ＣＤ（ＣＤ−ＲＯＭ，ＣＤ−Ｒ，ＣＤ−ＲＷ等）、ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等）、ブルーレイディスク、磁気ディスク、光ディスク、光磁気ディスク等の、コンピュータ読取可能な記録媒体に記録された形態で提供される。そして、処理装置６１はその記録媒体からプログラムを読み取って内部記憶装置（例えば、メモリ８０）または外部記憶装置に転送し格納して用いる。または、本件のプログラムを、例えば磁気ディスク，光ディスク，光磁気ディスク等の図示しない記憶装置（記録媒体）に記録しておき、その記憶装置から通信経路を介して処理装置６１に提供するようにしてもよい。
【００５３】
＜補正部＞
補正部１７１は、画像データの画像を、白色補正するものである。言い換えれば、補正部１７１は、画像データのホワイトバランスを調整するものである。補正部１７１は、補正を施した画像データを、変換部１７２又は記憶部１８０に出力する。
【００５４】
まず、補正部１７１は、検査台３０の中央部に設置された白色板を撮影して取得された画像データを、撮像部１５１又は記憶部１８０から受信する。補正部１７１は、この白色板を撮影して取得された画像データの画像に含まれる中央部の領域が白色となるように、Ｒ、Ｇ、Ｂの各色の信号値の比率を調整することで白色補正を行う。この調整は、例えば、中央部の領域のＲ、Ｇ、Ｂの各色の信号値に対して、Ｒ、Ｇ、Ｂの各色の信号値のバランスが１：１：１となるように、各信号値を増幅又は減少させるゲインをかける補正を施すことで行われる。白色板の撮影によって各色のゲインを設定し、このゲインは記憶部１８０に記憶される。なお、ゲインの設定は、Ｒ、Ｇ、Ｂの各色の信号値のバランスが１：１：１になるとともに、白色板を撮影した際の中央部の領域のＲ、Ｇ、Ｂの各色の信号値をＬ*ａ*ｂ*表色系に変換した場合に、Ｌ*値が１００となるように設定することが好ましい。
【００５５】
測定対象物を撮影した場合には、補正部１７１は、測定対象物を撮影して取得された画像データを、撮像部１５１又は記憶部１８０から受信する。そして、補正部１７１は、記憶部１８０から予め設定されたゲインを読み出して、測定対象物を撮影して取得された画像データに含まれるＲ、Ｇ、Ｂの各色の信号値に対して、ゲインによる補正を施す。ゲインによる補正は、通常、画像データの画像に含まれる全ての領域の画素の信号値に対して行われる。
【００５６】
＜変換部＞
変換部１７２は、画像データの画像を、任意の色情報値に変換するものである。変換部１７２は、画像データを、撮像部１５１、補正部１７１、又は記憶部１８０から受信する。そして、変換部１７２は、画像データの画像のＲ、Ｇ、Ｂの各色の信号値を、任意の色情報値に変換する変換処理を行う。変換部１７２は、変換処理によって得られた色情報値データを、表示部１５２、比較部１７４、又は記憶部１８０に出力する。
【００５７】
変換処理は、画像の画素単位で任意の色情報値に変換してもよい。または、変換処理は、分割部１７３による分割結果に応じて、複数の領域に分割された画像のそれぞれを任意の色情報値に変換してもよい。この場合の変換処理は、分割された領域内に含まれる画素全体の色情報値の平均値を算出することで行うことができる。
【００５８】
色情報値としては、例えば、ＲＧＢ表色系のＲ値、Ｇ値、Ｂ値；ＸＹＺ表色系のＸ値、Ｙ値、Ｚ値；ｘｙＹ表色系のｘ値、ｙ値、Ｙ値；Ｌ*ａ*ｂ*表色系のＬ*値、ａ*値、ｂ*値；Ｌ*Ｃ*ｈ表色系のＬ*値、Ｃ*値、ｈ値；Ｌ*ｕ*ｖ*表色系のＬ*値、ｕ*値、ｖ*値；ＣＭＹ系表色系のＣ値、Ｍ値、Ｙ値；ＣＭＹＫ系表色系のＣ値、Ｍ値、Ｙ値、Ｋ値；等を用いることができる。色情報値の変換は、各種公知の手法を用いて行うことができる。これらの中でも、Ｌ*ａ*ｂ*表色系のＬ*値、ａ*値、ｂ*値、又はＣＭＹＫ系表色系のＣ値、Ｍ値、Ｙ値、Ｋ値が好ましい。または、Ｌ*ａ*ｂ*表色系のＬ*値を明度差の評価に用いてもよく、ＣＭＹＫ系表色系のＣ値、Ｍ値、Ｙ値、Ｋ値を色度差の評価に用いてもよい。
【００５９】
＜分割部＞
分割部１７３は、画像データの画像を、複数の領域に分割するものである。分割部１７３は、画像データを、撮像部１５１、補正部１７１、又は記憶部１８０から受信する。そして、分割部１７３は、画像を複数の領域に分割する分割処理を行う。分割部１７３は、分割処理による分割結果を、変換部１７２に出力する。分割処理を行った場合、色情報値は、分割された領域ごとに表示することができる。
【００６０】
分割処理において画像を複数の領域に分割する際の分割方法は、特に限定されないが、通常、縦横がそれぞれ均等な幅で分割された升目状に分割される。このときの縦横の分割数はそれぞれ、例えば、好ましくは１以上、より好ましくは５以上、さらに好ましくは１０以上、特に好ましくは２０以上であり、好ましくは１００以下、より好ましくは６０以下、さらに好ましくは５０以下、特に好ましくは４０以下である。ただし、縦横のいずれか１方の分割数は２以上である。１方の分割数が２以上の場合には、他方の分割数は１、すなわち分割を行わなくともよい。分割数及び幅は、測定対象物のサイズ及び絵柄に応じて適宜変更することができる。
【００６１】
縦（流れ方向）と横（幅方向）の分割数は、同じであってもよく、異なっていてもよい。幅方向の分割数は、好ましくは５以上、より好ましくは１０以上、さらに好ましくは２０以上であり、好ましくは６０以下、より好ましくは５０以下、さらに好ましくは４０以下である。一方、流れ方向の分割数は、好ましくは３以上、より好ましくは５以上、さらに好ましくは１０以上であり、好ましくは３０以下、より好ましくは２０以下、さらに好ましくは１５以下である。流れ方向と幅方向の分割数は、上記範囲に含まれる分割数を適宜組み合わせてよい。例えば、幅方向の分割数を５以上３７以下、流れ方向の分割数を５以上２０以下とすることができる。この場合、一例として、幅方向の分割数を３７として、流れ方向の分割数を５〜１５とすることで、画像１８５〜５５５マスに分割することができる。オフセット印刷機においてインキキーは印刷物の幅方向に設置されることから、後述するように、幅方向の分割数はインキキーの数に対応させることができる。上記例示した分割数は、インキキーの数が３７個の場合に好適である。
【００６２】
分割処理は、画像中の領域において、任意の位置、形状、大きさの範囲を指定することで行うことができる。このとき、画像中の複数の範囲を指定してもよい。例えば、測定対象物に含まれる絵柄の大きさに合わせた範囲で分割を行ってもよい。この場合、分割された範囲内の絵柄の色情報値を比較することができる。
【００６３】
測定対象物がオフセット印刷機の印刷物である場合、幅方向の分割数をインキキーの数に対応させるとともに、分割の幅がインキキーの幅（ピッチ）となるように分割してもよい。これにより、インキキーに対応した幅を有する領域の色調を評価することができる。この場合、インキキーに対応した幅又は領域ごとに色情報値を表示すると共に、幅ごとにインキキーの番号を表示することが好ましい。これにより、分割された幅とインキキーとの対応関係が明確になり、色調整のアクションを容易に行うことができる。また、この場合、色情報値としては、ＣＭＹＫ表色系のＣＭＹＫ値を表示することが好ましい。これにより、印刷物と色見本とのＣＭＹＫ値との比較により、調整を要するインク色とインキキーとの対応関係が明確になる。
【００６４】
＜比較部＞
比較部１７４は、二以上の画像データの色情報値の比較を行うものである。比較部１７４は、色情報値データを、変換部１７２又は記憶部１８０から受信する。そして、比較部１７４は、色情報値データに含まれる色情報値を比較する比較処理を行う。比較部１７４は、比較処理の結果を、表示部１５２又は記憶部１８０に出力する。さらに、表示部１５２は、入力された比較処理の結果を表示する。
【００６５】
比較部１７４による比較処理は、二以上の画像データの色情報値が一致するか、相違するかを判定することで行うことができる。この場合、比較対象となる画像データの間で、色情報値が所定の閾値の範囲内にあれば一致して、所定の閾値の範囲外にあれば一致しないと判断することができる。また、色情報値が複数のパラメータを有する場合には、複数のパラメータのうち、一つのパラメータを用いて一致するか相違するかを判定してもよく、複数のパラメータを用いて一致するか相違するかを判定してもよい。また、複数のパラメータを用いて判定する場合には、パラメータごとに閾値を変えてもよい。
【００６６】
または、比較部１７４による比較処理は、二以上の画像データの色情報値がどの程度相違するかの差又は比率を算出することで行うことができる。この場合、例えば、色情報値がＬ*ａ*ｂ*表色系のＬ*値、ａ*値、ｂ*値の場合には、二つの画像データの間で、Ｌ*値、ａ*値、ｂ*値それぞれの値の差である、ΔＬ*、Δａ*、Δｂ*を算出することができる。さらに、二つの画像データの間で算出したΔＬ*、Δａ*、Δｂ*から、色差ΔＥ*ａｂ＝{（ΔＬ*）2＋（Δａ*）2＋（Δｂ*）2｝1/2を求めることができる。また、例えば、色情報値がＣＭＹＫ系表色系のＣ値、Ｍ値、Ｙ値、Ｋ値の場合には、二つの画像データの間で、一方の画像データのＣ値を１００％としたときの、他方の画像データのＣ値の比率（％）を、Ｃ濃度差として算出することができる。このＣ濃度差は、一方の画像データのＣ濃度の値を、他方の画像データのＣ濃度の値に対する増減比率（％）で表すものである。例えば、Ｃ濃度差が「１％」のときは、一方の画像データのＣ値が、他方の画像データのＣ値に対して１％大きく１０１％であることを表す。また、Ｃ濃度差が「−１％」のときは、一方の画像データのＣ濃度の値が、他方の画像データのＣ濃度の値に対して１％小さく９９％であることを表す。同様にして、Ｍ値、Ｙ値、Ｋ値についても、二つの画像データの間で、Ｍ濃度差、Ｙ濃度差、Ｋ濃度差を算出することができる。
【００６７】
比較部１７４による比較処理は、比較対象となる画像データの間で、画素単位の色情報値を比較することで行ってもよく、一定の範囲の色情報値を比較することで行ってもよい。一定の範囲の色情報値を比較する場合には、分割部１７３によって分割された領域の比較を行うことができる。このとき、通常、分割部１７３は二以上の画像データを同じ位置関係でそれぞれを複数の領域に分割する。そして、比較部１７４は、対応する領域の色情報値の相違を算出する。これにより、比較対象となる画像データの間で、面測色による色調の評価が可能である。
【００６８】
測定処理の測定対象物として印刷物と色見本とを用いた場合、比較部１７４は、印刷物と色見本との間で得られた色情報値の差又は比率を算出することができる。そして、色情報値の差又は比率を、表示部１５２が表示することができる。これにより、印刷物と色見本との色調の評価を容易に行うことができる。
【００６９】
比較部１７４は、比較対象となる画像データの間で色情報値の積算データが重なりあった割合を示す、色分布一致度（一致度）を算出してもよい。これにより、比較対象となる画像データの間で、絵柄のテクスチャ（質感）の違いを評価することができる。
【００７０】
［２．動作］
上述した測色装置１００の動作について説明する。まず、図５のフローチャートを参照して、測色装置１００を用いて白色板を撮影して白色補正することにより行う校正処理の動作（校正方法）について説明する。次に、図６のフローチャートを参照して、測色装置１００を用いて測定対象物を測定することで行う、測色処理の動作（測色方法）について説明する。通常、校正処理を行った後に、測定対象物の測色処理が行われる。
【００７１】
＜校正処理＞
校正処理では、図５に示すように、まず検査台３０に白色板を設置する（ステップ１０１）。ここでは、白色板を検査部３１の中央部に配置する。白色補正に用いられる白色板は、特に限定されないが、例えば、硫酸バリウム、酸化マグネシウム、アルミナ、又はフッ素系樹脂等からなる標準白色板が用いられる。
【００７２】
次に、照明装置４０によってステップ１０１で設置した白色板を照射する（ステップＳ１０２）。そして、検査台３０に設置された白色板を照射した状態で、撮像装置５１によって白色板を撮影する（ステップＳ１０３）。これにより、中央部に白色板が配置された検査部３１の画像データを取得する。
【００７３】
さらに、白色板を撮影することで得られた画像データの画像に対して、補正部１７１による白色補正を行う（ステップＳ１０４）。ここでは、画像に含まれる中央部の領域のＲ、Ｇ、Ｂの各色の信号値の比率が１：１：１になるとともに、中央部の領域のＬ*値が１００となるようにゲインの設定を行う。このようにして、白色補正を行うことができる。ステップＳ１０１〜Ｓ１０４の白色補正は通常、１日に１回の頻度で行えばよい。
【００７４】
続いて、白色補正後に行う、周辺部の領域におけるＬ*値の取得について説明する。まず、検査台３０に白色板を設置する（ステップ１０５）。ここでは、白色板を検査部３１の周辺部に配置する。検査部３１の周辺部とは、検査部３１の内部の領域のうち、検査部３１の外周端部付近の領域をいう。中でも白色板は、照明装置４０が設けられる両側の一組の辺の領域の中央部に配置することが好ましい。また、白色板は、もう一組の辺の領域の中央部に配置してもよい。また、白色板は、検査部３１の角の四箇所に配置してもよい。
【００７５】
次に、照明装置４０によってステップ１０５で設置した白色板を照射する（ステップＳ１０６）。そして、検査台３０に設置された白色板を照射した状態で、撮像装置５１によって白色板を撮影する（ステップＳ１０７）。これにより、周辺部に白色板が配置された検査部３１の画像データを取得する。さらに、補正部１７１によって、画像データに含まれるＲ、Ｇ、Ｂの各色の信号値に対して、ステップ１０４で設定されたゲインによる補正を施す（ステップＳ１０８）。
【００７６】
そして、変換部１７２によって、ゲインによる補正が施された画像データの画像を、Ｌ*ａ*ｂ*表色系の色情報値に変換する（ステップＳ１０９）。これにより、白色板が配置された周辺部の領域におけるＬ*値が得られる。
【００７７】
上記説明では、中央部に配置した白色板によって白色補正を行い（ステップＳ１０１〜Ｓ１０４）、さらに周辺部に配置した白色板のＬ*値の取得（ステップＳ１０５〜Ｓ１０９）を行う場合を例に挙げて説明した。校正処理において、白色補正によるキャリブレーションを行うためには、少なくともステップＳ１０１〜Ｓ１０４の白色補正を行えばよく、ステップＳ１０５〜Ｓ１０９の周辺部に配置した白色板のＬ*値の取得は省略してもよい。但し、周辺部に配置した白色板のＬ*値の取得を行った場合には、測色装置１００が所望の特性を有することを確認することができる。
【００７８】
上記説明では、白色板を検査部３１の中央部と周辺部とに配置して、それぞれを撮影する場合を例に挙げて説明した（ステップＳ１０１〜Ｓ１０３、ステップＳ１０５〜Ｓ１０７）。白色板は、複数の白色板を予め中央部と周辺部とに配置してそれぞれを撮影してもよく、一つの白色板の配置位置を中央部と周辺部とに変えてそれぞれを撮影してもよい。または、白色板として検査部３１と略同じサイズのものを使用して、この白色板を検査台３０に配置してもよい（ステップＳ１０１）。そして、照明装置４０によって検査台３０に設置された白色板を照射した状態で、撮像装置５１によって白色板を撮影して（ステップＳ１０２，Ｓ１０３）もよい。このときのステップＳ１０３で取得された画像データを基にして、中央部の領域からゲインの設定を行ってもよい（ステップＳ１０４）。さらに、ステップＳ１０３で取得された画像データに対して、ステップＳ１０４で設定されたゲインによる補正を施すことで、周辺部の領域におけるＬ*値を得てもよい（ステップＳ１０８，Ｓ１０９）。
【００７９】
＜Ｌ*値＞
上述した校正処理により、照明装置４０によって検査台３０に設置された白色板を照射した状態で撮像装置５１によって白色板を撮影した際に、白色板を撮影して取得された画像データの画像に含まれる周辺部の領域におけるＬ*値が得られる。このＬ*値は、中央部の領域におけるＬ*ａ*ｂ*表色系のＬ*値を、白色板を用いて白色補正することで１００とした場合の値となっている。この周辺部の領域におけるＬ*値は、好ましくは９５以上、より好ましくは９７以上、さらに好ましくは９８以上、特に好ましくは９９以上であり、通常１００以下である。周辺部の領域におけるＬ*値が上記範囲内にあることで、検査台３０に設置された測定対象物を、照明装置４０によって照射した状態で撮像装置５１によって撮影した際に、測定対象物全体で明度及び色調の変化が抑えられて、色ムラを軽減しやすい傾向にある。なお、周辺部の領域において、複数個所のＬ*値を得た場合には、複数個所のＬ*値がいずれも上記範囲を満足することが好ましい。
【００８０】
＜測色処理＞
測色処理では、図６に示すように、まず検査台３０に測定対象物を設置する（ステップ２０１：設置工程）。
次に、照明装置４０によってステップ２０１で設置した測定対象物を照射する（ステップＳ２０２：照射工程）。
続いて、検査台３０に設置された測定対象物を照射した状態で、撮像装置５１によって測定対象物を撮影して画像データを得る（ステップＳ２０３：撮像工程）。
そして、測定対象物を撮影して取得された画像データを、任意の色空間の色情報値に変換する（ステップＳ２０４：変換工程）。
【００８１】
なお、測定処理の前に校正処理を行った場合には、ステップＳ２０３の後に、さらに、測定対象物を撮影して取得された画像データに含まれるＲ、Ｇ、Ｂの各色の信号値に対して、校正処理において設定されたゲインによる補正を施してもよい。そして、この補正後の画像データを、任意の色空間の色情報値に変換してもよい。
【００８２】
上記説明のステップＳ２０１〜Ｓ２０４の処理により、測定対象物の色情報値を得る測色処理を行うことができる。これにより、色情報値によって、測定対象物の色調を数値評価することができる。さらに、二以上の測定対象物の画像データから色情報値を得た上で、比較部１７４による比較処理を行うことで、比較対象となる画像データの間で、色調を数値評価することができる。
【００８３】
測定対象物として、例えば、印刷物と色見本とをそれぞれ測色処理を行うことで、各々の色情報値を得ることができる。そして、印刷物と色見本との各々の色情報値を比較することで、色見本に基づいた印刷物の数値評価を行うことができる。
【００８４】
上記説明では、ステップＳ２０１〜Ｓ２０４の処理による測色処理を行う場合を例に挙げて説明した。このうち、検査台３０に測定対象物を設置する（ステップ２０１：設置工程）と、照明装置４０によってステップ２０１で設置した測定対象物を照射する（ステップＳ２０２：照射工程）とを含む工程を、本実施形態に係る照射方法と位置づけることができる。
【００８５】
＜ＣＭＹＫ値＞
上述した測定処理において、測定対象物として基準サンプルと検査用サンプルとを用いることで、各々の中央部の領域における色情報値と周辺部の領域における色情報値とを得ることができる。ここで、測定対象物の中央部の領域と周辺部の領域とにおいて照明装置４０からの光が均一に照射されていない状態では、測定対象物のそれぞれの位置で測定される色情報値に開きが生じることによって、色ムラとして表れることになる。また、検査用サンプルと基準サンプルとの間で色情報値に差がある場合には、光の不均一性に起因する色ムラの影響で、中央部よりも周辺部における色情報値の差が広がる傾向にある。すなわち、検査用サンプルと基準サンプルとの色情報値の差が、中央部と周辺部とにおいてどの程度開きがあるかを、色情報値の差の開き、及び色情報値の差の開きの平均値によって表すことができる。そして、色情報値の差の開き、及び色情報値の差の開きの平均値から、照明装置４０によって検査台３０に照射される光の均一性、及び色ムラの生じにくさを評価することができる。なお、検査用サンプルとしては、所望の印刷物を用いることができる。また、基準サンプルとしては、検査用サンプルとして用いられる印刷物の色見本を用いることができる。
【００８６】
例えば、照明装置４０によって検査台３０に設置された基準サンプルと検査用サンプルとをそれぞれ照射した状態で撮像装置５１によって基準サンプルと検査用サンプルとをそれぞれ撮影した際に、（Ａ）基準サンプルを撮影して取得された画像データの画像に含まれる中央部の領域におけるＣＭＹＫ色空間のＣ値、Ｍ値、Ｙ値、及びＫ値と、（Ｂ）検査用サンプルを撮影して取得された画像データの画像に含まれる中央部の領域におけるＣ値、Ｍ値、Ｙ値、及びＫ値とのそれぞれの値の差と、（Ｃ）基準サンプルを撮影して取得された画像データの周辺部の領域におけるＣ値、Ｍ値、Ｙ値、及びＫ値と、（Ｄ）検査用サンプルを撮影して取得された画像データの画像に含まれる周辺部の領域におけるＣ値、Ｍ値、Ｙ値、及びＫ値とのそれぞれの値の差との開きの平均値が、１以下であることが好ましい。
【００８７】
すなわち、「（Ａ）のＣ値と（Ｂ）のＣ値の差」と「（Ｃ）のＣ値と（Ｄ）のＣ値の差」との差から、Ｃ値についての中央部と周辺部との開きを算出することができる。同様に、Ｍ値、Ｙ値、及びＫ値についても、中央部と周辺部との開きを算出することができる。さらに、Ｃ値、Ｍ値、Ｙ値、及びＫ値それぞれについての中央部と周辺部との開きを平均することで、得られる平均値により、ＣＭＹＫ値全体としての中央部と周辺部との開きを評価することができる。このＣＭＹＫ値の差の開きの平均値は、１以下であることが好ましい。また、この平均値は、より好ましくは０．９以下、さらに好ましくは０．８以下、特に好ましくは０．７以下である。この平均値が上記範囲内にあることで、検査台３０に設置された測定対象物を、照明装置４０によって照射した状態で撮像装置５１によって撮影した際に、測定対象物全体で色調の変化が抑えられて、色ムラを軽減しやすい傾向にある。
【００８８】
［３．作用及び効果］
本実施形態で開示する測色装置１００は、上述のように構成されるため、以下のような作用及び効果を得ることができる。
【００８９】
（１）測色装置１００は、照明装置４０によって照射した状態で白色板を撮影して取得された画像データの画像に含まれる中央部の領域におけるＬ*値を白色補正することで１００とした場合に、周辺部の領域におけるＬ*値が９５以上である。これにより、検査台３０に設置された測定対象物を、照明装置４０によって照射した状態で撮像装置５１によって撮影した際に、照明装置４０から照射される光の反射や不均一性に起因する明度の変化が抑えられる。さらには、測定対象物の中央部の領域と周辺部の領域とで生じる色度の開きが少なくなることで、周辺部の領域で生じる色ムラを軽減することができる。したがって、照明装置４０による影響を軽減して、印刷物と色見本との本来の色調を比較することができる。また、従来の測色装置よりも撮影範囲を広げることが可能となり、測定対象物の大型化に対応することができる。
【００９０】
また、照明装置４０及び本実施形態の照射方法では、検査台３０に設置された白色板を照射した状態で白色板を撮影して取得された画像データの画像に含まれる中央部の領域におけるＬ*値を白色補正することで１００とした場合に、周辺部の領域におけるＬ*値が９５以上である。これにより、測色装置１００と同様に、明度の変化が抑えられるとともに、色ムラを軽減して、印刷物と色見本との本来の色調を比較することができる。
【００９１】
（２）測色装置１００は、変換部１７２を備えることで、測定対象物を色情報値によって評価することができる。これにより測定対象物を数値評価による客観的な評価が可能になる。また、周辺部の明度の変化が抑えられるとともに、色情報値に表れる色度の数値変化も抑えられて、印刷物と色見本との比較を正確に行うことができる。
【００９２】
（３）照明装置４０が、検査台３０を挟んで互いに対向する位置にそれぞれ設けられることで、検査台３０に設置される測定対象物を両側から均等に照射することができる。
【００９３】
（４）照明装置４０が、ルーバー４４を有することで、照射部４３から発せられる照射光に直進性を持たせて、検査台３０の撮影領域内に向けて効率的に照射することができる。
【００９４】
［４．その他］
上記説明では、検査台３０及び検査部３１を挟んで互いに対向する位置に、２点の照明装置４０ａ，４０ｂがそれぞれ設けられる場合を例に挙げて説明した。照明装置４０の配置はこれに限定されず、適宜変更してもよい。例えば、検査台３０及び検査部３１の三方に３点、又は四方に４点の照明装置４０を設けてもよい。
【００９５】
上記説明では、照明装置４０について、筐体４２が光源４１を有する場合を例に挙げて説明した。照明装置４０の構成はこれに限定されず、光源４１を有さないものであってもよい。例えば、照明装置４０は、外部に設けられた光源からの光を伝達する導光路を備え、この導光路を介して、光源から発せられる光を検査台３０に照射するものであってもよい。このような導光路としては、例えば、プラスチック製又はガラス製の光ファイバーや、複数のミラーを用いた多間接マニピュレータが挙げられる。
【００９６】
上記説明では、検査台３０及び検査部３１の中央部の領域において白色補正を行う場合を例に挙げて説明した。校正処理では、白色補正に加えて、シェーディング補正を行ってもよい。なお、照明装置４０及び測色装置１００では、シェーディング補正を行わない場合であっても、白色板を撮影して取得された画像データの画像における中央部と周辺部の領域におけるＬ*値が、上述した所定の範囲となる。そして測色装置１００によれば、シェーディング補正をさらに行うことで、色ムラをより軽減することができる。
【００９７】
シェーディング補正とは、撮像装置５１による撮影によって得られた画像に生じる明るさのムラを、画像全体が平均的に一様な明るさとなるように補正する処理をいう。画像に生じる明るさのムラの原因としては、例えば、撮像装置５１のレンズの特性、受光素子の感度のばらつき、照明装置により照射される光のばらつき等が挙げられる。シェーディング補正では、これらの原因により生じる画像の周辺領域の明るさの低下を補正する。
【００９８】
測色装置１００は、撮像装置５１によって白色板を撮影して、撮影によって取得された画像の明るさのムラを補正するためのシェーディング補正係数を取得し、このシェーディング補正係数を予め記憶部１８０に記憶する。そして、測定対象物を撮影した際に、記憶部１８０からシェーディング補正係数を読み出し、測定対象物を撮影して取得された画像に対して、読み出したシェーディング補正係数を用いてシェーディング補正を行うことができる。
【実施例】
【００９９】
以下、実施例及び比較例を挙げて本発明を具体的に説明する。なお、以下の実施例及び比較例に示す寸法、配置関係、及び処理手順等は、本発明の趣旨を逸脱しない限り適宜変更することができる。したがって、本発明は以下の実施例に限定されるものではない。
【０１００】
＜実施例１＞
本実施例で用いられる測色装置１００は、検査部３１が、縦方向の辺の長さＬ22が８９５ｍｍ、横方向の辺の長さＬ21が１０７５ｍｍの矩形状を有している。
照明装置４０は、照射部４３が、長辺の長さＬ12が６６０ｍｍ、短辺の長さＬ11が４２５ｍｍであり、筐体４２の奥行きが１２０ｍｍである。照明装置４０は、照射角度αを変更できるよう回転可能に取り付けられている。本実施例では、検査台３０に対する照射角度αが２１．１度に固定されている。照明装置４０は、照明装置４０の検査台３０からの高さＬ31が４９０ｍｍ、照明装置４０の検査台３０の中心位置３３からの距離Ｌ41が１１００ｍｍである。
照明装置４０は、光源４１として直径３５ｍｍの蛍光灯（型式：ＦＬ２０Ｓ・Ｎ−ＥＤＬ、パナソニック社製）を５本有する。蛍光灯は、３５ｍｍの間隔を開けて、筐体４２内に平行に配置されている。
ルーバー４４は、格子の１マス寸法が２５ｍｍ×２５ｍｍである。長辺方向に２４枚、短辺方向に１６枚の板状部材がそれぞれ等間隔に配置され、互いに直交することで、縦１７マス×横２５マス＝合計４２５マスを有する格子を形成している。
撮像装置５１として、２次元色彩計（型式：ＲＣ−３００、パパラボ社製）を用いた。
【０１０１】
まず、上述した測色装置１００において、図７に示すように、検査部３１の中央部の位置Ｅに設置した白色板（型式：ＳＲＳ−９９−０１０、Labsphere社製、材質：サーモプラスチック）によって白色補正を行った。続いて、検査部３１の９箇所の位置Ａ〜Ｉに設置した白色板に対して測色処理を行い、各位置でのＬ*値、ａ*値、ｂ*値を得た。なお、各設置位置は、検査部３１の中央を位置Ｅとし、他の位置Ａ〜Ｄ，Ｆ〜Ｉの８箇所は、検査部３１の周辺端部の位置に対応する。具体的には、検査部３１において、撮像装置５１が設けられている支柱２１の側を奥側として、その反対側を手前側とすると、検査部３１を手前側から見た場合に、検査部３１の左端且つ奥側が位置Ａ、検査部３１の左端且つ中央が位置Ｂ、検査部３１の左端且つ手前側が位置Ｃ、検査部３１の左右中央且つ奥側が位置Ｄ、検査部３１の左右中央且つ手前側が位置Ｆ、検査部３１の右端且つ奥側が位置Ｇ、検査部３１の右端且つ中央が位置Ｈ、検査部３１の右端且つ手前側が位置Ｉとなっている。測定結果を表１に示す。
【０１０２】
【表１】
2019039741.tif 000003
【０１０３】
さらに、検査部３１の中央右端且つ中央の位置Ｈから中央の位置Ｅの方向へ、表２に示すように２５ｍｍ間隔の位置の白色板に対して測色処理を行い、各位置でのＬ*値を得た。測定結果を表２に示す。
【０１０４】
【表２】
2019039741.tif 000004
【０１０５】
表１から明らかなように、本実施例１の測色装置１００は、左右両端且つ中央の位置Ｂ及び位置ＨにおけるＬ*値が他の位置と比べてやや低かったものの、いずれもＬ*値が９５以上であった。すなわち、周辺部の領域におけるＬ*値が９５以上であり、検査部３１全体で明度の変化が抑えられていた。また、表２に示すように、中央の位置Ｅから離れるにつれてＬ*値が低下する傾向にあることがわかる。
【０１０６】
＜実施例２〜７、比較例１，２＞
まず、実施例１で用いた測色装置１００において、検査部３１の位置Ｅに設置した白色板によって白色補正を行った。
次に、検査部３１の位置Ｂ及び位置Ｈに設置した白色板に対して測色処理を行い、各位置でのＬ*値を得た。表３に、Ｂ，Ｈ各位置でのＬ*値を示す。
続いて、位置Ｅと位置ＢとでのＬ*値の開き（差）、及び位置Ｅと位置ＨとでのＬ*値の開きを算出した上で、Ｅ位置とＢ，Ｈ位置とのＬ*値の開きの平均値を算出した。表３に得られたＬ*値の開きの平均値を示す。
【０１０７】
上述した評価を、表３に示すように、検査台３０に対する照射角度αを変更して、各々の角度αについて行った（実施例２〜７、比較例１，２）。
また、Ｌ*値の開きの平均値から、Ｌ*値（明度）の評価を以下の基準で行った。
５点：特に優れる  Ｌ*値の開きが０〜２．０未満
４点：優れる      Ｌ*値の開きが２．０以上〜３．０未満
３点：良好        Ｌ*値の開きが３．０以上〜４．０未満
２点：可          Ｌ*値の開きが４．０以上〜５．０未満
１点：不可        Ｌ*値の開きが５．０以上
評価結果を表３に示す。
【０１０８】
【表３】
2019039741.tif 000005
【０１０９】
表３から明らかなように、角度αが１０〜４５度の範囲内の実施例２〜７では、中央部の位置ＥでのＬ*値が１００の場合に、端部の位置Ｂ，Ｈの位置でのＬ*値は９５以上となることが分かる。一方、角度αが５度、６０度の比較例１，２では、端部の位置Ｂ，Ｈの位置でのＬ*値が９５を下回っていた。
【０１１０】
＜実施例８〜１３，比較例３，４＞
まず、実施例１で用いた測色装置１００において、位置Ｅに設置した白色板によって白色補正を行った。
次に、検査台３０に基準サンプルを設置して測色処理を行い、位置Ｅ、位置Ｂ、及び位置Ｈの各位置でのＣＭＹＫ値（Ｃ値、Ｍ値、Ｙ値、Ｋ値）を得た。同様に、検査台３０に検査用サンプルを設置して測色処理を行い、位置Ｅ、位置Ｂ、及び位置Ｈの各位置でのＣＭＹＫ値を得た。検査用サンプルとして、オフセット印刷機を用いて印刷した印刷サンプルを用いた。また、基準サンプルとして、検査用サンプルとして用いられた印刷サンプルの色見本を用いた。
続いて、比較処理によって、基準サンプルの測色処理を行って得られたＢ，Ｅ，Ｈ各位置でのＣ濃度を１００％としたときの、検査用サンプルの測色処理を行って得られたＢ，Ｅ，Ｈ各位置でのＣ濃度の比率（％）を、Ｃ濃度差として算出した。同様にして、Ｍ濃度差、Ｙ濃度差、Ｋ濃度差についても、Ｂ，Ｅ，Ｈ各位置での値を算出した。表４に、Ｃ濃度差、Ｍ濃度差、Ｙ濃度差、Ｋ濃度差について、Ｂ，Ｅ，Ｈ各位置での値を示す。
【０１１１】
さらに、位置Ｅと位置ＢとでのＣ濃度差の開き（差）、及び位置Ｅと位置ＨとでのＣ濃度差の開きを算出した上で、Ｅ位置とＢ，Ｈ位置とのＣ濃度差の開きの平均値を算出した。同様にして、Ｍ濃度差、Ｙ濃度差、Ｋ濃度差についても、Ｅ位置と、Ｂ，Ｈ位置とのＣ濃度差の開きの平均値を算出した。表４に、Ｃ濃度差、Ｍ濃度差、Ｙ濃度差、Ｋ濃度差について、各濃度差の開きの平均値の値を示す。
そして、Ｃ濃度差、Ｍ濃度差、Ｙ濃度差、Ｋ濃度差について、各濃度差の開きの平均値の値を平均することで、ＣＭＹＫ濃度全体で濃度差の開きの平均値（ＣＭＹＫ平均）を算出した。このＣＭＹＫ平均は、基準サンプルの測色処理を行って得られたＣＭＹＫ濃度と、検査用サンプルの測色処理を行って得られたＣＭＹＫ濃度との差が、検査部３１の中央部と周辺部とでどの程度開いているかを表すものである。
【０１１２】
上述した評価を、表４に示すように、検査台３０に対する照射角度αを変更して、各々の角度αについて行った（実施例８〜１３、比較例３，４）。
また、Ｃ濃度差、Ｍ濃度差、Ｙ濃度差、及びＫ濃度差の各濃度差の開き（平均）から、ＣＭＹＫ値（色度）の各色について、濃度差の開きの評価を以下の基準で行った。さらに、各色の評価の平均値（ＣＭＹＫ平均）を算出した。
５点：特に優れる  濃度差の開きが０〜０．６未満
４点：優れる      濃度差の開きが０．６以上〜０．７未満
３点：良好        濃度差の開きが０．７以上〜０．８未満
２点：可          濃度差の開きが０．８以上〜１．０未満
１点：不可        濃度差の開きが１．０以上
評価結果を表４に示す。
【０１１３】
【表４】
2019039741.tif 000006
【０１１４】
表４から明らかなように、実施例８〜１３では、中央部の位置ＥにおけるＣＭＹＫ濃度の差と、端部の位置Ｂ，ＨにおけるＣＭＹＫ濃度の差との開きの平均値が、１以内に抑えられていた。一方、比較例３，４では、１を上回る結果となっていた。
表３の結果と表４との結果とあわせて検討すると、中央部の位置ＥでのＬ*値が１００の場合に、端部の位置Ｂ，Ｈの位置でのＬ*値が９５以上となる実施例８〜１３では、検査用サンプルの場合と基準サンプルの場合とで色度の開きが少なくなることが裏付けられた。すなわち、中央部の領域と周辺部の領域とで明度の差が小さいことで、色度を評価する際に差が生じることを抑えて、色ムラを軽減できることが明らかとなった。
なお、実施例８〜１３，比較例３，４における、角度αとＣＭＹＫ濃度の差の開きとの関係は、基準サンプルとしてマクベスチャートを用いて、検査用サンプルとして、マクベスチャートを複製した印刷物であってＪＩＳ  Ｚ  ８７２３に準拠した視感比較によってマクベスチャートとの色差を知覚できないものを用いた場合にも、同様の傾向が得られた。
【符号の説明】
【０１１５】
１００  測色装置
３０  検査台
３１  検査部
３２ａ〜３２ｃ  位置合わせ板
４０  照明装置
４１  光源
４２  筐体
５１  撮像装置
６１  処理装置
【図１】
2019039741.tif 000007
【図２】
2019039741.tif 000008
【図３】
2019039741.tif 000009
【図４】
2019039741.tif 000010
【図５】
2019039741.tif 000011
【図６】
2019039741.tif 000012
【図７】
2019039741.tif 000013